(57)【要約】【課題】  電飾パネル等に利用されるエッジライト式の面発光型照明装置に好ましく用いられるＬＥＤ光源装置において、その光源装置から発する光をより完全に近い白色光にすることができるＬＥＤ光源装置を提供する【解決手段】  第１には、基板１１に実装された少なくとも１つの白色ＬＥＤ素子１２と、白色ＬＥＤ素子１２から発した光のうち青色光を主に反射する反射フィルタ１３と、白色ＬＥＤ素子１２から発した光及び反射フィルタ１３で反射した青色光を吸収して蛍光する赤色蛍光体１４とを備えるように構成する。第２には、基板に実装された少なくとも１つの青色ＬＥＤ素子と、青色ＬＥＤ素子から発した光のうち青色光を主に反射する反射フィルタと、青色ＬＥＤ素子から発した光及び反射フィルタで反射した青色光を吸収して蛍光する赤色蛍光体及び緑色蛍光体とを備えるように構成する。【選択図】    図１
2007073206.tif 000002
【特許請求の範囲】
【請求項１】
基板に実装された少なくとも１つの白色ＬＥＤ素子と、当該白色ＬＥＤ素子から発した光のうち青色光を主に反射する反射フィルタと、前記白色ＬＥＤ素子から発した光及び前記反射フィルタで反射した青色光を吸収して蛍光する赤色蛍光体と、を備えることを特徴とするＬＥＤ光源装置。
【請求項２】
基板に実装された少なくとも１つの青色ＬＥＤ素子と、当該青色ＬＥＤ素子から発した光のうち青色光を主に反射する反射フィルタと、前記青色ＬＥＤ素子から発した光及び前記反射フィルタで反射した青色光を吸収して蛍光する赤色蛍光体及び緑色蛍光体と、を備えることを特徴とするＬＥＤ光源装置。
【請求項３】
前記ＬＥＤ素子から発した光及び前記反射フィルタで反射した光を反射させる反射板をさらに備えることを特徴とする請求項１又は２に記載のＬＥＤ光源装置。
【請求項４】
前記蛍光体が、前記基板及び前記反射板の少なくとも一方に塗布されていることを特徴とする請求項３に記載のＬＥＤ光源装置。
【請求項５】
請求項１〜４のいずれかに記載のＬＥＤ光源装置と、当該ＬＥＤ光源装置から放射された光を側面から内部に入射させて前面から出射させる導光板と、を備えることを特徴とする照明装置。
【請求項６】
請求項１〜４のいずれかに記載のＬＥＤ光源装置と、当該ＬＥＤ光源装置から放射された光を側面から内部に入射させて前面から出射させる導光板と、当該導光板から出射した光により表示される表示パターンが形成された表示パネルと、を備えることを特徴とする表示装置。
【発明の詳細な説明】
【技術分野】
【０００１】
本発明は、ＬＥＤ光源装置、照明装置及び表示装置に関し、更に詳しくは、電飾パネル、非常灯、案内灯、標識、表札等に利用されるエッジライト式の面発光型照明装置に好ましく用いられるＬＥＤ光源装置並びにそれを備えた面発光型の照明装置及び表示装置に関するものである。
【背景技術】
【０００２】
電飾パネル、非常灯、案内灯、標識、表札等に利用される表示装置として、エッジライト式の面発光型照明装置を備えた表示装置が提案されている。この表示装置は、表示内容が書かれた表示パネルを背面から照明してその情報を視覚的に表示する装置である。こうした表示装置が備えるエッジライト式の面発光型照明装置としては、従来より、少なくとも光源と導光板とを有する照明装置が提案されている。
【０００３】
図８は、従来の面発光型の表示装置の代表的な例を示す構成図である。この表示装置１０１は、光源１０２と、光源１０２を一側面に配置した導光板１０４と、導光板１０４の裏面に配置された反射シート１０６と、導光板１０４の表面に配置された拡散シート１０８と、さらにその表面に配置された表示パネル１１０とを備えている。光源１０２は、プリント基板１１２上に実装された複数のＬＥＤ１１４を備えている。
【０００４】
また、下記特許文献１には、図８に示す表示装置に、蛍光体を含有した色変換部材を加えてなる表示装置が提案されている。この色変換部材は、光源である青色ＬＥＤ素子からの青色光を、白色光又は緑色、黄色、赤色等他の光スペクトル成分をもつ光に変換する部材である。
【０００５】
こうした表示装置に用いられる光源として、従来より蛍光灯やＬＥＤ素子が用いられているが、長寿命でエネルギー効率のよいＬＥＤ素子が好ましく用いられている。しかしながら、ＬＥＤ素子を用いた光源は、完全な白色光を発することが難しいという難点がある。例えば白色ＬＥＤ素子を光源として用いた場合であっても、光を完全な白色にすることが難しく、従来においては、下記のような色補正が行われている。
【０００６】
第１の方法は、赤、緑、青の３原色のＬＥＤ素子を用いて白色光を発する方法であり、第２の方法は、青色ＬＥＤ素子と、白色蛍光体（赤色蛍光体と緑色蛍光体と青色蛍光体を混合してなる白色蛍光体）とで光源を構成して白色光を発する方法であり、第３の方法は、青色ＬＥＤ素子と黄色蛍光体とで光源を構成して白色光を発する方法であり、第４の方法は、白色ＬＥＤ素子と反射フィルタとで光源を構成して白色光を発する方法である。
【特許文献１】特開平９−１７９５１２号公報
【発明の開示】
【発明が解決しようとする課題】
【０００７】
しかしながら、上記各方法を適用した場合であっても、光源から発する光を完全な白色光にすることは難しい。例えば、第１の方法では、３色のＬＥＤ素子それぞれを制御しないと所望の白色光を発することができず、各色毎に高価な制御系（制御装置）が必要となり、光源が高価になるという難点がある。また、上記第２の方法では、青色ＬＥＤ素子から発する青色光の励起効率が悪いため、白色蛍光体で蛍光する光の光量が少なく、エネルギー効率が悪い光源になるという難点がある。また、第３の方法では、青色ＬＥＤ素子から発した光と、黄色蛍光体で蛍光した光とでは、赤色がやや不足するために十分な白色光とはならないという難点がある。また、第４の方法では、反射フィルタにより強い青色光を低減できるが、不足する赤色光を補うことができず、十分な白色光とはならないという難点がある。
【０００８】
また、現在の白色ＬＥＤ素子から発する光は、後述する図３に示すように、青色光である短波長成分が比較的強く、赤色光である長波長成分が比較的弱い光となっている。そのため、青味のある白色光となり、より完全に近い白色光にはなっていない。
【０００９】
本発明は、上記課題を解決するためになされたものであって、その目的は、電飾パネル、非常灯、案内灯、標識、表札等に利用されるエッジライト式の面発光型照明装置に好ましく用いられるＬＥＤ光源装置において、その光源装置から発する光をより完全に近い白色光にすることができるＬＥＤ光源装置を提供することにある。また、本発明の他の目的は、そうしたＬＥＤ光源装置を備えた面発光型の照明装置及び表示装置を提供することにある。
【課題を解決するための手段】
【００１０】
上記課題を解決するための本発明の第１形態に係るＬＥＤ光源装置は、基板に実装された少なくとも１つの白色ＬＥＤ素子と、当該白色ＬＥＤ素子から発した光のうち青色光を主に反射する反射フィルタと、前記白色ＬＥＤ素子から発した光及び前記反射フィルタで反射した青色光を吸収して蛍光する赤色蛍光体と、を備えることを特徴とする。
【００１１】
この発明によれば、反射フィルタが、白色ＬＥＤ素子から発した光のうち短波長成分である青色光を主に反射するので、反射フィルタを透過する青色光を低減することができる。また、反射した短波長成分の光は白色ＬＥＤ素子から直接照射された光と共に赤色蛍光体に吸収されるので、より多くの光を赤色蛍光体に吸収させることができる。その結果、赤色蛍光体から長波長の赤色光が蛍光し、その赤色光は反射フィルタであまり反射せずに透過する。反射フィルタを透過したこれらの光は、短波長成分である青色光が低減し、長波長成分である赤色光が増大した光となるので、従来の白色ＬＥＤ素子から発する光に比べて、青味が抑制されると共に赤味が補完された、より完全に近い白色光とすることができる。
【００１２】
上記課題を解決するための本発明の第２形態に係るＬＥＤ光源装置は、基板に実装された少なくとも１つの青色ＬＥＤ素子と、当該青色ＬＥＤ素子から発した光のうち青色光を主に反射する反射フィルタと、前記青色ＬＥＤ素子から発した光及び前記反射フィルタで反射した青色光を吸収して蛍光する赤色蛍光体及び緑色蛍光体と、を備えることを特徴とする。
【００１３】
この発明によれば、反射フィルタが、青色ＬＥＤ素子から発した光のうち短波長成分である青色光を主に反射するので、反射フィルタを透過する青色光を低減することができる。また、反射した短波長成分の光は青色ＬＥＤ素子から直接照射された光と共に赤色蛍光体及び緑色蛍光体に吸収されるので、より多くの光を赤色蛍光体及び緑色蛍光体に吸収させることができる。その結果、赤色蛍光体から赤色光が蛍光し、緑色蛍光体から緑色光が蛍光し、その赤色光と緑色光とは反射フィルタであまり反射せずに透過する。反射フィルタを透過したこれらの光は、青色光が低減し、赤色光及び緑色光が増大した光となるので、各波長の光がバランスよく調整された、より完全に近い白色光とすることができる。
【００１４】
上記本発明の第１及び第２形態に係るＬＥＤ光源装置は、前記ＬＥＤ素子から発した光及び前記反射フィルタで反射した光を反射させる反射板をさらに備えることが好ましい。
【００１５】
この発明によれば、ＬＥＤ素子から発した光及び反射フィルタで反射した光を反射させる反射板をさらに備えるので、外部（例えば、導光板側等）に放射する光量を増すことができる。また、この反射板により、より多くの光を赤色蛍光体に吸収させることができるので、赤色蛍光体からより多くの赤色光を蛍光させることができ、特に赤味が不足する場合に赤味を補完してより完全に近い白色光とすることができる。
【００１６】
本発明の第１及び第２形態に係るＬＥＤ光源装置は、前記蛍光体が、前記基板及び前記反射板の少なくとも一方に塗布されていることが好ましい。
【００１７】
上記課題を解決するための本発明の照明装置は、上記本発明の第１及び第２形態に係るＬＥＤ光源装置のいずれかと、当該ＬＥＤ光源装置から放射された光を側面から内部に入射させて前面から出射させる導光板と、を備えることを特徴とする。
【００１８】
この発明によれば、上記本発明に係るＬＥＤ光源装置から放射された光を側面から内部に入射させて前面から出射させる導光板を備えるので、高価な制御を行うことなく、極めて簡単な構成により、所望の白色光を導光板の前面から出射させることができる。
【００１９】
上記課題を解決するための本発明の表示装置は、上記本発明の第１及び第２形態に係るＬＥＤ光源装置のいずれかと、当該ＬＥＤ光源装置から放射された光を側面から内部に入射させて前面から出射させる導光板と、当該導光板から出射した光により表示される表示パターンが形成された表示パネルと、を備えることを特徴とする。
【００２０】
この発明によれば、上記本発明に係るＬＥＤ光源装置から放射された光を側面から内部に入射させて前面から出射させる導光板と、出射した光により表示される表示パターンが形成された表示パネルとを備えるので、高価な制御を行うことなく、極めて簡単な構成により、所望の白色光で表示パネルを電飾することができる。
【発明の効果】
【００２１】
本発明のＬＥＤ光源装置によれば、短波長成分である青色光が低減し、長波長成分である赤色光が増大した光を出射するので、従来の白色ＬＥＤ素子から発する光に比べて、青味が抑制されると共に赤味が補完された、より完全に近い白色光とすることができる。
【００２２】
本発明の照明装置及び表示装置によれば、高価な制御を行うことなく、極めて簡単な構成により、所望の白色光で表示パネルを電飾することができる。
【発明を実施するための最良の形態】
【００２３】
以下、本発明のＬＥＤ光源装置、照明装置及び表示装置について、図面を参照しつつ説明する。なお、本発明のＬＥＤ光源装置、照明装置及び表示装置は、その技術的特徴を有する範囲において、以下の説明及び図面に限定されない。なお、本発明のＬＥＤ光源装置は、その構成により２形態に大別できるので、以下においては、各実施形態順に説明する。
【００２４】
（ＬＥＤ光源装置：第１実施形態）
図１は、本発明の第１実施形態に係るＬＥＤ光源装置の一例を示す概略断面図であり、図２は、本発明の第１実施形態に係るＬＥＤ光源装置の他の一例を示す概略断面図である。
【００２５】
本発明の第１実施形態に係るＬＥＤ光源装置１０は、図１に示すように、基板１１に実装された少なくとも１つの白色ＬＥＤ素子１２と、白色ＬＥＤ素子１２から発した光のうち青色光を主に反射する反射フィルタ１３と、白色ＬＥＤ素子１２から発した光及び反射フィルタ１３で反射した青色光を吸収して蛍光する赤色蛍光体１４とを備えている。
【００２６】
この第１実施形態においては、光源として少なくとも１つの白色ＬＥＤ素子１２が用いられる。白色ＬＥＤ素子１２は、ガラスエポキシ等の基板１１に実装されている。この白色ＬＥＤ素子１２は、ＬＥＤ光源装置１０に１つ設けられたものであってもよいし、２つ以上設けられたものであってもよい。白色ＬＥＤ素子１２が２つ以上設けられた場合には、各白色ＬＥＤ素子１２は、基板１１に一定間隔で実装されていることが好ましい（図７を参照）。なお、白色ＬＥＤ素子１２の代用素子として、青色ＬＥＤ素子と黄色蛍光体とで構成したＬＥＤ素子を白色ＬＥＤ素子１２の代用素子として用いることも可能である。
【００２７】
反射フィルタ１３は、基板１１に対向する面に配置されている。この反射フィルタ１３は、青色光を反射する光学多層膜からなるものであり、通常、ＭｇＦ２、ＳｉＯ２、Ａｌ２Ｏ３、Ｎｂ２Ｏ５、Ｔａ２Ｏ５、ＴｉＯ２等の多層膜を挙げることができる。
【００２８】
赤色蛍光体１４は、図１においては、白色ＬＥＤ素子１２側の基板表面に設けられている。この赤色蛍光体１４は、光を吸収して長波長の光を蛍光する機能を有し、蛍光性を持つ芳香族炭化水素系の染料と、塗料用樹脂とを含有させた蛍光塗料を基板１１上に塗布することにより形成される。
【００２９】
なお、符号１５，１６は、ＬＥＤ光源装置１０の側壁を構成するものであるが、反射板として機能するものであることが好ましい。側壁１５，１６を反射板とする場合には、例えば鏡面加工されたＡｌ（アルミニウム）板や白色に塗装した板等を用いることができる。側壁１５，１６を反射板として用いた場合には、白色ＬＥＤ素子１２から発した光及び反射フィルタ１３で反射した光をさらに反射することができるので、外部（例えば、図５及び図７に示す導光板３２側）に放射する光量を増すことができる。さらには、より多くの光を赤色蛍光体１４に吸収させることができるので、赤色蛍光体１４からより多くの赤色光を蛍光させることができ、特に赤味が不足する場合に赤味を補完してより完全に近い白色光とすることができる。また、側壁１５，１６を熱伝導に優れるＡｌ板とした場合には、ＬＥＤ光源装置１０において発生した熱をＡｌ板に伝えて外に放熱することも可能である。
【００３０】
こうして構成されたＬＥＤ光源装置１０において、反射フィルタ１３が、白色ＬＥＤ素子１２から発した光のうち短波長成分である青色光を主に反射するので、反射フィルタ１３を透過する青色光を低減することができる。また、反射した短波長成分の光は白色ＬＥＤ素子１２から直接照射された光と共に赤色蛍光体１４に吸収されるので、より多くの光を赤色蛍光体１４に吸収させることができる。その結果、赤色蛍光体１４から長波長の赤色光が蛍光し、その赤色光は反射フィルタ１３であまり反射せずに透過する。反射フィルタ１３を透過したこれらの光は、短波長成分である青色光が低減し、長波長成分である赤色光が増大した光となるので、単なる白色ＬＥＤ素子１２から発する光に比べて、青味が抑制されると共に赤味が補完された、より完全に近い白色光とすることができる。
【００３１】
図３は、本発明の第１実施形態に係るＬＥＤ光源装置の波長特性の一例を示すグラフである。図３からわかるように、単なる白色ＬＥＤ素子１２から発する光は４５０〜５００ｎｍ程度の短波長成分が強く、６００ｎｍ以上の長波長成分が弱くなっているが、第１実施形態に係るＬＥＤ光源装置１０の波長特性は、光源部出射光として示された実線で表すように、４５０〜５００ｎｍ程度の短波長成分が抑制され、６００ｎｍ以上の長波長成分が補完されている。上述したＬＥＤ光源装置１０では、青色光を主に反射する反射フィルタ１３により、反射フィルタ１３を透過する短波長の青色光が低減され、長波長の赤色光を蛍光する赤色蛍光体１４により、長波長の赤色光が補完されるので、単なる白色ＬＥＤ素子１２から発する光に比べて、青味が抑制されると共に赤味が補完されている。
【００３２】
なお、赤色蛍光体１４の塗布面積等を変えることにより、赤味の補完程度を調整することができる。すなわち、市販の白色ＬＥＤ素子１２は各メーカーのＬＥＤ素子毎に波長特性が若干異なっているので、それぞれの波長特性に応じて、赤色蛍光体１４の塗布面積等を変えて、より完全に近い白色光に補正することができる。また、市販の白色ＬＥＤ素子によって緑味が不足する場合には、赤色蛍光体に緑色蛍光体を混ぜて塗布することも可能である。
【００３３】
また、赤味の補完をより強く行う場合には、赤色蛍光体１４の塗布面積を多くすることが好ましく、そのために、赤色蛍光体１４を、基板１１上はもちろん、側壁１５，１６内面にも併せて塗布することが好ましい。また、側壁１５，１６を反射板とし、その反射板上に任意の面積で塗布することもでき、側壁１５，１６に反射機能と蛍光機能の両方を持たせることができるので好ましい。
【００３４】
また、上記においては、赤色蛍光体１４を基板１１上に設け、側壁１５，１６を必要に応じて反射板とするものとして説明したが、必ずしもそうした配置にする必要はなく、例えば、図２に示すＬＥＤ光源装置２０のように、赤色蛍光体１４を側壁１５，１６の内面に設け、白色ＬＥＤ素子１２側の基板１１上に反射板１７を設けてもよい。反射板１７を備えたＬＥＤ光源装置２０は、白色ＬＥＤ素子１２から発した光及び反射フィルタ１３で反射した光をさらに反射させるので、外部（例えば、図５及び図７に示す導光板３２側）に放射する光量を増すことができる。また、この反射板１７により、より多くの光を赤色蛍光体１４に吸収させることができる。その結果、赤色蛍光体１４からより多くの赤色光を蛍光させることができるので、特に赤味が不足する場合に赤味を補完することができ、より完全に近い白色光とすることができる。
【００３５】
（ＬＥＤ光源装置：第２実施形態）
本発明の第２実施形態に係るＬＥＤ光源装置は、上述した第１実施形態に係るＬＥＤ光源装置とは、ＬＥＤ素子の種類と蛍光体の種類が異なるだけであり、その他の構成については同じであるので、ＬＥＤ素子や蛍光体等の各構成については、便宜上、第１実施形態で説明したのと同じ符号を用いて説明する。
【００３６】
すなわち、第２実施形態に係るＬＥＤ光源装置は、基板１１に実装された少なくとも１つの青色ＬＥＤ素子１２と、青色ＬＥＤ素子１２から発した光のうち青色光を主に反射する反射フィルタ１３と、青色ＬＥＤ素子１２から発した光及び反射フィルタ１２で反射した青色光を吸収して蛍光する赤色蛍光体及び緑色蛍光体からなる蛍光体１４とを備えている。
【００３７】
この第２実施形態においては、光源として少なくとも１つの青色ＬＥＤ素子１２が用いられ、蛍光体１４としては、赤色蛍光体及び緑色蛍光体が用いられる。赤色蛍光体は上述したとおりであるが、緑色蛍光体は、光を吸収して例えば５００〜６００ｎｍ程度の中間波長の光を蛍光する機能を有し、蛍光性を持つ芳香族炭化水素系の染料と、塗料用樹脂とを含有させた蛍光塗料を基板１１上に塗布することにより形成される。
【００３８】
こうして構成された第２実施形態に係るＬＥＤ光源装置においても、反射フィルタ１３が、青色ＬＥＤ素子１２から発した光のうち短波長成分である青色光を主に反射するので、反射フィルタ１３を透過する青色光を低減することができる。また、反射した短波長成分の光は青色ＬＥＤ素子１２から直接照射された光と共に赤色蛍光体及び緑色蛍光体からなる蛍光体１４に吸収されるので、より多くの光を赤色蛍光体及び緑色蛍光体に吸収させることができる。その結果、赤色蛍光体から長波長の赤色光が蛍光し、緑色蛍光体から中間波長の緑色光が蛍光し、その赤色光と緑色光は反射フィルタ１３であまり反射せずに透過する。反射フィルタ１３を透過したこれらの光は、短波長成分である青色光が低減し、長波長成分である赤色光と中間波長成分である緑色光が増大した光となるので、各波長の光がバランスよく調整された、より完全に近い白色光とすることができる。
【００３９】
図４は、本発明の第２実施形態に係るＬＥＤ光源装置の波長特性の一例を示すグラフである。図４からわかるように、単なる青色ＬＥＤ素子１２から発する光は４５０〜５００ｎｍ程度の短波長成分のみを示すが、第２実施形態に係るＬＥＤ光源装置１０の波長特性は、光源部出射光として示された実線で表すように、４５０〜５００ｎｍ程度の短波長成分が抑制され、５００〜６００ｎｍ程度の中間波長成分が補完され、６００ｎｍ以上の長波長成分が補完されている。上述したＬＥＤ光源装置１０では、青色光を主に反射する反射フィルタにより、反射フィルタ１３を透過する短波長の青色光が低減され、中間波長の緑色光を蛍光する緑色蛍光体と長波長の赤色光を蛍光する赤色蛍光体とにより、中間波長の緑色光と長波長の赤色光が補完されている。
【００４０】
なお、赤色蛍光体と緑色蛍光体は、その配合量を任意に調整した混合塗料として塗布してもよいし、それぞれの塗料の塗布面積を変えて塗布してもよい。塗布面積や蛍光体の配合量を任意に変化させることにより、赤味や緑味の補完の程度を任意に調整することができる。すなわち、市販の青色ＬＥＤ素子は各メーカーのＬＥＤ素子毎に波長特性が若干異なっているので、それぞれの波長特性に応じて、赤色蛍光体や緑色蛍光体の塗布面積等を変えて、より完全に近い白色光に補正することができる。
【００４１】
また、赤味や緑味の補完をより強く行う場合には、赤色蛍光体や緑色蛍光体の塗布面積や配合割合を多くすることが好ましく、そのために、赤色蛍光体や緑色蛍光体を、基板１１上はもちろん、側壁１５，１６の内面にも併せて塗布することが好ましい。また、側壁１５，１６を反射板とし、反射板としての側壁１５，１６上に任意の面積で塗布することもでき、側壁１５，１６に反射機能と蛍光機能の両方を持たせることができるので好ましい。
【００４２】
また、上記においては、蛍光体１４（赤色蛍光体、緑色蛍光体）を基板１１上に設け、側壁１５，１６を必要に応じて反射板とするものとして説明したが、必ずしもそうした配置にする必要はなく、例えば、赤色蛍光体と緑色蛍光体とからなる蛍光体１４を側壁１５，１６の内面に設け、青色ＬＥＤ素子側の基板１１上に反射板１７を設けてもよい。反射板を備えたＬＥＤ光源装置２０は、反射フィルタ１３で反射した光をさらに反射させるので、外部（例えば、図５及び図７に示す導光板３２側）に放射する光量を増すことができる。また、この反射板１７により、より多くの光を蛍光体に吸収させることができる。その結果、蛍光体からより多くの赤色光や緑色光を蛍光させることができるので、より完全に近い白色光とすることができる。
【００４３】
（照明装置）
次に、本発明の照明装置について説明する。図５は、本発明の照明装置の一例を示す断面図であり、図６は、本発明の照明装置を構成する導光板の例を示す平面図及び側面図である。本発明の照明装置３０は、図５に示すように、上記本発明の第１及び第２実施形態に係るＬＥＤ光源装置のいずれかのＬＥＤ光源装置３１と、そのＬＥＤ光源装置３１から放射された光を側面から内部に入射させて前面から出射させる導光板３２とを備えている。
【００４４】
ＬＥＤ光源装置３１は、導光板３２の一方の側面に設けられており、そのＬＥＤ光源装置３１から出射した白色光は、導光板３２内を通って前面から出射する。
【００４５】
導光板３２は、厚さがＬＥＤ光源装置３１の幅に等しいか若干大きい無色透明のアクリル板等からなるものである。この導光板３２は、図６に示すように、その背面側に導光板３２の内部を反射してきた光を前面から出射させるための光取出体（３３，３４）が設けられている。
【００４６】
光取出体としては、図６（Ａ）に示すように、Ｖ状の溝３３を光の入射する側面に平行な方向に直線状に並べたもので、ＬＥＤ光源装置３１から離れるにつれて広く、深くなるように形成されている。個々のＶ溝３３は、導光板３２の背面に直接又は印刷手法によりアクリルやエポキシ樹脂等の凸状の透明樹脂を設けて形成したり、熱転写加工法、レーザー加工法、エッチング、切削研磨加工法等によって形成することができる。なお、この光取出体であるＶ溝３３が設けられている部分以外の導光板３２の背面及び前面は、滑らかな面になっている。また、光取出体として、図６（Ｂ）に示すように、ドットパターン３４としてもよい。ドットパターン３４は、ＬＥＤ光源装置３１から離れるにつれてドット形状を大きくしたり、ドット密度を上げることが好ましい。こうしたドットパターン３４は、例えばＴｉＯ２粉末を含有する塗料を塗布して形成できる。
【００４７】
本発明において、導光板３２前面から出射する光の輝度の均一化を図ることができれば上記形態の導光板３２ａ，３２ｂに限定されず、他の形態の導波板を用いてもよい。通常、導光板３２の内部を伝播する光の散乱確率が、ＬＥＤ光源装置３１から遠ざかるほど大きくなる構造であればよい。
【００４８】
なお、導光板３２のＬＥＤ光源装置３１側を除く３方の側面は、通常、おおむね滑らかに研磨された面上に高反射率の反射テープが貼り付けられている。
【００４９】
以上のように、本発明の照明装置３０によれば、上記本発明に係るＬＥＤ光源装置３１から放射された光を側面から内部に入射させて前面から出射させる導光板３２を備えるので、高価な制御を行うことなく、極めて簡単な構成により、所望の白色光を導光板の前面から出射させることができる。また、従来のように、導光板に蛍光体を塗布する必要がないという利点がある。
【００５０】
（表示装置）
次に、本発明の表示装置について説明する。図７は、本発明の表示装置の一例を示す斜視図である。本発明の表示装置４０は、上記本発明の第１及び第２実施形態に係るＬＥＤ光源装置のいずれかのＬＥＤ光源装置３１と、そのＬＥＤ光源装置３１から放射された光を側面から内部に入射させて前面から出射させる導光板３２と、その導光板３２から出射した光により表示される表示パターン４４が形成された表示パネル４１とを備えている。この表示装置４０においては、導光板３２の前面に一般的に使用されている拡散シート４２を配置してもよいし、導光板３２の裏面に一般的に使用されている反射シート４３を配置してもよい。
【００５１】
これらの表示装置４０を構成する各部材は、例えば、重ね合わされてホルダーに挿入され、各部材の四隅近傍及びホルダーに形成されたスルーホールにボルトを貫通させてナットにより固定される。こうして構成された表示装置４０は、屋内外の天井、壁、支柱等に取り付けられ、さらにＬＥＤ光源装置３１を駆動するための制御装置（図示しない）を備えた態様で設置される。
【００５２】
表示パネル４４は各種のものを配置することができ、例えばアクリル樹脂等の透光性の平板表面に任意の色を吸収する色フィルタを所定形状で印刷したり、又は、シート状に成形して貼り付けたものを配置することができる。これにより、入射光がそのまま透過する素地領域と色フィルタによって表示パターン４４が構成される。
【００５３】
本発明の表示装置４０によれば、高価な制御を行うことなく、極めて簡単な構成により、所望の白色光で表示パネルを電飾することができる。
【図面の簡単な説明】
【００５４】
【図１】本発明の第１実施形態に係るＬＥＤ光源装置の一例を示す概略断面図である。
【図２】本発明の第１実施形態に係るＬＥＤ光源装置の他の一例を示す概略断面図である。
【図３】本発明の第１実施形態に係るＬＥＤ光源装置の波長特性の一例を示すグラフである。
【図４】本発明の第２実施形態に係るＬＥＤ光源装置の波長特性の一例を示すグラフである。
【図５】本発明の照明装置の一例を示す断面図である。
【図６】本発明の照明装置を構成する導光板の例を示す平面図及び側面図である。
【図７】本発明の表示装置の一例を示す斜視図である。
【図８】従来の面発光型の表示装置の代表的な例を示す構成図である。
【符号の説明】
【００５５】
１０，２０  ＬＥＤ光源装置
１１  基板
１２  白色ＬＥＤ素子、青色ＬＥＤ素子
１３  反射フィルタ
１４  赤色蛍光体、蛍光体
１５，１６  側壁
１７  反射板
３０  照明装置
３１  ＬＥＤ光源装置
３２，３２ａ，３２ｂ  導光板
３３  溝
３４  ドットパターン
４０  表示装置
４１  表示パネル
４２  拡散シート
４３  反射シート
４４  表示パターン
【図１】
2007073206.tif 000003
【図２】
2007073206.tif 000004
【図３】
2007073206.tif 000005
【図４】
2007073206.tif 000006
【図５】
2007073206.tif 000007
【図６】
2007073206.tif 000008
【図７】
2007073206.tif 000009
【図８】
2007073206.tif 000010